(57)【要約】【課題】精度の確保が容易な回転ブラシの製造方法を提供する。【解決手段】複数本を束ねたブラシ毛２７の基端部をブラシ台１４の軸方向に沿って離間させてブラシ台１４の外周面に圧入して植毛する。ブラシ台１４のシャフト挿通孔２８にシャフト３１を挿通する。ブラシ部材２６が螺旋状となるようにブラシ台１４を周方向に向けてねじってシャフト３１に固定する。ブラシ部材２６のブラシ毛２７をブラシ台１４の外周面に軸方向に沿って取り付ければよい。ブラシ台１４を回転させながらブラシ毛２７を植毛する必要がない。ブラシ毛２７によるブラシ台１４への取り付け精度の確保を容易にできる。ブラシ毛２７とブラシ台１４とを異なる材質とすることにより、ブラシ台１４をねじりに適した材質にでき、ブラシ毛２８を掃き取り清掃に適した材質にできる。回転ブラシ１３の製造性および清掃効率を向上できる。【選択図】        図１
2004173785.tif 000002
【特許請求の範囲】
【請求項１】
軸方向に沿った挿通孔を有する筒状の取付部材と、
この取付部材の外周面から突出してこの取付部材の軸方向に沿って取り付けられこの取付部材とは異なる材質の清掃部材と、
前記取付部材の挿通孔に挿通され、前記清掃部材が螺旋状になるように前記取付部材が周方向に向けてねじられて取り付けられた軸体と
を具備したことを特徴とした回転清掃体。
【請求項２】
清掃部材は、ブラシ毛であり、
このブラシ毛は、取付部材に植毛され、この取付部材の周方向へのねじりにより螺旋状とされている
ことを特徴とした請求項１記載の回転清掃体。
【請求項３】
被掃除面と対向する下面に吸込口を開口したケース体と、
このケース体に前記被掃除面に対向して回転自在に軸支された請求項１または２記載の回転清掃体と
を具備したことを特徴とした電気掃除機の吸込口体。
【請求項４】
軸方向に沿った挿通孔を有する筒状の取付部材の外周面から突出させて、この取付部材とは異なる材質の清掃部材を前記取付部材の軸方向に沿って取り付け、
この清掃部材が取り付けられた前記取付部材の挿通孔に軸体を挿通し、
前記清掃部材が螺旋状になるように前記取付部材を周方向に向けてねじって前記軸体に取り付ける
ことを特徴とする回転清掃体の製造方法。
【請求項５】
清掃部材をブラシ毛とし、
このブラシ毛を取付部材に植毛した後、この取付部材を周方向に向けてねじって前記ブラシ毛を螺旋状にする
ことを特徴とする請求項４記載の回転清掃体の製造方法。
【請求項６】
請求項４または５記載の回転清掃体の製造方法により製造された回転清掃体を、ケース体の被掃除面と対向する下面に開口した吸込口に、前記被掃除面に対向させて回転自在に軸支させて電気掃除機の吸込口体とする
ことを特徴とする電気掃除機の吸込口体の製造方法。
【発明の詳細な説明】
【０００１】
【発明の属する技術分野】
本発明は、軸体の外周面に軸方向に沿って螺旋状に突出した清掃部材が取り付けられた回転清掃体、この回転清掃体の製造方法、この回転清掃体を備えた電気掃除機の吸込口体、およびこの吸込口体の製造方法に関する。
【０００２】
【従来の技術】
従来、この種の回転清掃体は、外周面に軸方向に沿って螺旋状に巻回した断面凹状の複数の取付凹部としての係合凹部が設けられた細長円筒状のシャフトを備えている。このシャフトの各係合凹部は、このシャフトの周方向に沿って互いに等間隔に離間された位置に設けられている。また、このシャフトは、アルミニウムによるねじり押し出し成形により各係合凹部が螺旋状にねじられて成形されている。
【０００３】
さらに、これら各係合凹部のそれぞれには、細長断面三角形状の清掃部材としてのブレードの基端側が長手方向に沿って挿入されて係合されている。そして、これら各ブレードは、これら各ブレードの基端側がシャフトの各係合凹部に係止されて、このシャフトの外周面に対して螺旋状に巻回した状態で壁状に突出している。
【０００４】
また、シャフトの中心には、このシャフトの軸方向に沿ったピン挿通孔が貫通した状態で開口されている。このピン挿通孔には、細長棒状の軸体としてのピンが圧入されて一体的に取り付けられている。そして、このピンは、シャフトの両端面から両端部のそれぞれが突出した状態でこのシャフトのピン挿通孔に挿通されている（例えば、特許文献１参照。）。
【０００５】
【特許文献１】
特公平６−８５７５２号公報（第２頁、図２および図３）
【０００６】
【発明が解決しようとする課題】
しかしながら、上記回転清掃体では、シャフトに設けられた各係合凹部を螺旋状に巻回させるために、このシャフトをアルミニウムによるねじり押し出し成形によって成形させているので、歪みなどの発生により精度を確保することが容易ではなく、シャフトを回転させた際にぶれが生じやすいという問題を有している。
【０００７】
本発明は、このような点に鑑みなされたもので、精度の確保が容易な回転清掃体、この回転清掃体の製造方法、この回転清掃体を備えた電気掃除機の吸込口体、およびこの吸込口体の製造方法を提供することを目的とする。
【０００８】
【課題を解決するための手段】
本発明は、軸方向に沿った挿通孔を有する筒状の取付部材の外周面から突出させて、この取付部材とは異なる材質の清掃部材を取付部材の軸方向に沿って取り付けた後、この取付部材の挿通孔に軸体を挿通するとともに、清掃部材が螺旋状になるように取付部材を周方向に向けてねじって軸体に取り付けたものである。そして、清掃部材を取付部材の外周面から突出させてこの取付部材の軸方向に沿って取り付ければよいので、この清掃部材による取付部材への取り付け精度の確保が容易となる。また、清掃部材を取付部材とは異なる材質としたので、取付部材をねじりに適した材質にできるとともに、清掃部材を清掃に適した材質にできるから、回転清掃体の製造性および清掃効率を向上できる。
【０００９】
【発明の実施の形態】
以下、本発明の一実施の形態における電気掃除機の構成を図１ないし図７を参照して説明する。
【００１０】
図１ないし図７において、１は掃除機本体で、この掃除機本体１は中空であり、内部に電動送風機２が収容されている。また、この掃除機本体１は、電動送風機２の駆動にて生じる吸気風とともに吸い込んだ塵埃を捕捉して集塵する。
【００１１】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１２】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む吸込口体としての床ブラシ９が着脱可能に連通接続されている。
【００１３】
そして、この床ブラシ９は、図１、図２および図７に示すように、前後方向である走行方向に対して横長で、後部略中央が後方に向けて突出する凸字状のケース体１１を備えている。このケース体１１における被掃除面としての床面と対向する下面には、細長矩形状の吸込口１２が開口形成されている。この吸込口１２は、ケース体１１の走行方向の前側に偏位した位置に設けられており、このケース体１１の走行方向に対する幅方向に沿った長手方向を有した横長矩形状に形成されている。
【００１４】
さらに、このケース体１１の吸込口１２の内側には、細長略円筒状の回転清掃体としての回転ブラシ１３が走行方向に向けて回転自在に軸支されて配設されている。この回転ブラシ１３は、図１ないし図３に示すように、細長略円筒状の取付部材としてのブラシ台１４を備えている。このブラシ台１４は、変形可能でありねじりに適した部材、すなわちねじり加工が可能な程度の可撓性を有する材質、例えばプラスチックなどの硬質な部材などにて押し出し成形されて形成されている。
【００１５】
また、このブラシ台１４の外周面には、このブラシ台１４の軸方向に沿った断面略凹状の係止凹部１５が複数、例えば４つ設けられている。これら係止凹部１５は、基端側から先端側に向かうに連れて徐々に拡開したテーパ状に形成されている。また、これら係止凹部１５は、周方向に間隔をおいて等間隔な状態で直線状に設けられている。
【００１６】
さらに、これら係止凹部１５間に位置するブラシ台１４の外周面には、このブラシ台１４の軸方向に沿った断面略凹状の取付凹部としての係合凹部１６が複数、例えば２つ設けられている。そして、これら係合凹部１６は、ブラシ台１４の軸中心を基準とした点対称な位置である、このブラシ台１４の外周面における反対側の位置に設けられている。また、これら係合凹部１６は、一対の係止凹部１５間に位置するブラシ台１４の外周面の幅方向における中央部に設けられている。
【００１７】
ここで、このブラシ台１４の各係合凹部１６は、図２および図３に示すように、内部が周方向に幅広となる拡大部１７と、この拡大部１７から外周面に連通する幅狭な連通部１８とにて、段差を設けて断面形状が先端幅狭の凹状に形成されている。ここで、これら係合凹部１６の拡大部１７は、基端側が断面凹弧状に形成されており、先端側の内縁が基端側に対向した平面状に形成されている。
【００１８】
そして、これら各係合凹部１６には、清掃部材としての掻取部材２１の基端側が周方向に沿って係止されて取り付けられている。これら掻取部材２１は、ブラシ台１４の外周面にこのブラシ台１４の軸方向に沿って壁状に突出して取り付けられている。そして、これら掻取部材２１は、例えば軟質塩化ビニルなどにて細長平板状で長手方向の一側両面に肉厚に膨出する掻き出し部２２を断面凹凸状に設けた弾性を有するブレード２３を備えている。そして、このブレード２３の長手方向の他縁には、このブレード２３と同材質にて一体に細長略平板状のブレード取付部２４が形成されている。
【００１９】
また、ブラシ台１４における係合凹部１６が形成されていない係止凹部１５間の外周面には、複数の円筒状の植毛凹部２５が設けられている。これら植毛凹部２５は、ブラシ台１４における係合凹部１６が形成されていない係止凹部１５間の外周面の幅方向における中央部に設けられている。また、これら植毛凹部２５は、このブラシ台１４の係止凹部１５に基端部が係止されて取り付けられた一対の掻取部材２１それぞれに対する中間部に取り付けられている。さらに、これら植毛凹部２５は、ブラシ台１４の径方向に向けて開口しており、このブラシ台１４の軸方向に沿って所定の間隔を介して設けられている。
【００２０】
そして、これら植毛凹部２５には、清掃部材としてのブラシ部材２６がブラシ台１４の外周面から突出した状態で取り付けられている。このブラシ部材２６は、複数のブラシ毛２７にて構成されており、このブラシ毛２７は、清掃に適した部材であるブラシ台１４とは異なる材質、例えば軟質塩化ビニルなどの合成樹脂などにより成形されている。また、このブラシ毛２７は、複数本がまとめらてた状態で、ブラシ台１４の各植毛凹部２５に基端部が直接植毛されることにより取り付けられている。そして、複数本がまとめられたブラシ毛２７の基端部を、ブラシ台１４の外周面に設けられた各植毛凹部２５に圧入して、これら複数のブラシ毛２７を植毛することにより、図１ないし図３に示すように、このブラシ台１４の外周面に対して垂直に壁状に突出し、このブラシ台１４の軸方向に沿ったブラシ部材２６を構成する。
【００２１】
したがって、これらブラシ部材２６は、外周面の各植毛凹部２５にブラシ毛２７が植毛されたブラシ台１４を、長手方向の中心軸を中心として周方向に向けてねじることにより、このブラシ台１４の外周面に螺旋状に旋回したブラシ毛２７を形成させる。さらに、これらブラシ部材２６は、ブラシ台１４の外周面における長手方向の中心軸を中心とした互いに対向する位置に取り付けられている。
【００２２】
一方、ブラシ台１４の軸方向における両端部の中央部間には、このブラシ台１４の軸方向に沿って貫通した貫通孔としてのシャフト挿通孔２８が穿設されている。そして、このシャフト挿通孔２８には、例えば鋼鉄やステンレス鋼（ＳＵＳ）などの金属にて成形された中空パイプ状の軸体としての回転軸であるシャフト３１が挿通される。そして、このシャフト３１は、ブラシ台１４より硬質な部材にて成形されており、このブラシ台１４の両端部からこのシャフト３１の両端部のそれぞれを突出させた状態で、このブラシ台１４のシャフト挿通孔２８に挿通されている。
【００２３】
また、このシャフト３１の両端部には、図４に示すように、このシャフト３１の径方向に向けて貫通したピン挿通孔３２が穿設されている。これらピン挿通孔３２は互いに平行に形成されており、シャフト３１をブラシ台１４のシャフト挿通孔２８に挿通させた際に、このブラシ台１４の両端部から突出する位置に設けられている。さらに、シャフト３１の各ピン挿通孔３２よりも両端側には、このシャフト３１の周方向に沿った断面凹溝状の係合溝部３３が形成されている。そして、これら係合溝部３３の外周面は、シャフト３１を回転させた際の抵抗を少なくするために研磨加工されている。
【００２４】
一方、ブラシ部材２６のブラシ毛２７が外周面に植毛され、掻取部材２１のブレード取付部２４が係合凹部１６に係止されて取り付けられたブラシ台１４の両端部には、図１、図５および図６に示すように、このブラシ台１４を周方向に向けてスパイラル状である螺旋状にねじった状態でシャフト３１に固定させて取り付けさせる保持部材としての受板である略円筒状の受体３４がそれぞれ同軸状に取り付けられている。この受体３４は、ブラシ台１４よりも硬質な材料により成形されている。
【００２５】
そして、これら受体３４の中心部には、シャフト３１の端部が挿通される挿通孔３５が設けられており、この挿通孔３５の一端部である先端部の開口縁には、これら受体３４の先端部をブラシ台１４に嵌合させた際に、このブラシ台１４の各係止凹部１５に嵌合されてこのブラシ台１４の周方向への回転を防止して、このブラシ台１４をシャフト３１に固定させる嵌合突部としての係止爪部３６が複数、例えば４つ略等間隔で設けられている。これら係止爪部３６は、ブラシ台１４の各係止凹部１５に引っ掛けられて、このブラシ台１４をねじってシャフト３１に固定させることを可能にする。
【００２６】
また、これら係止爪部３６は、受体３４の挿通孔３５の開口方向である軸方向に沿って突出しており、ブラシ台１４の係止凹部１５に合致した断面形状を有している。さらに、これら係止爪部３６は、ブラシ台１４の端部を受体３４の先端部に嵌合させた際に、この受体３４の各係止爪部３６のそれぞれがブラシ台１４の係止凹部１５のそれぞれに軸方向に沿って嵌合される。また、これら係止爪部３６は、ブラシ台１４の周方向である回転方向へのずれを規制するとともに、このブラシ台１４のねじり角度を適宜必要に応じて定めさせる。
【００２７】
さらに、これら係止爪部３６の基端部である挿通孔３５の開口縁には、この挿通孔３５の周方向に沿って突出した円環状の内周鍔部３７が設けられている。この内周鍔部３７は、各係止爪部３６をブラシ台１４の一端の各係止凹部１５に軸方向に沿って移動させて嵌合させて、受体３４にブラシ台１４の一端部を係止した際に、このブラシ台１４の一端面が当接する。また、この内周鍔部３７は、ブラシ台１４の最大外径よりも若干大きな外径寸法を有しており、ブラシ部材２６や掻取部材２１が係合凹部１６から抜けることを防止する。
【００２８】
また、受体３４の挿通孔３５の他端部には、この挿通孔３５の周方向に沿って突出した円環状の外周鍔部３８が設けられている。さらに、この外周鍔部３８の外周面側には、円筒状の筒部３９が同心状に取り付けられている。そして、この筒部３９の内部には、矩形筒状の軸受４１が嵌合されている。この軸受４１は、シャフト３１の端部に嵌合されて、このシャフト３１の端部を回転自在に固定する。なお、受体３４の筒部３９は、軸受４１の外周面を覆って、この軸受４１への塵埃などの侵入を防止する。
【００２９】
ここで、床ブラシ９のケース体１１の吸込口１２の走行方向に対する両側縁のそれぞれには、一対の軸支凹部４２が区画形成されている。これら軸支凹部４２のそれぞれには、受体３４の筒部３９に嵌合されてシャフト３１の両端部を回転自在に固定した軸受４１のそれぞれが嵌合されている。この結果、これら軸受４１は、一対の軸支凹部４２間にシャフト３１を回転自在に支持させる。
【００３０】
さらに、これら受体３４の挿通孔３５の外側面には、ピン挿通孔４３がそれぞれ穿設されている。これらピン挿通孔４３は、各受体３４の径方向に向けて貫通している。また、これらピン挿通孔４３は、ブラシ台１４の両端部を互いに対向する方向に周方向に向けて螺旋状に所定距離、例えば１８０度周方向に向けてねじることによりシャフト３１のピン挿通孔４３に連通する。このとき、このブラシ台１４のシャフト挿通孔２８にはシャフト３１が挿通されており、このシャフト３１の両端部は受体３４の挿通孔３５にそれぞれ挿通され、かつこれら受体３４の係止爪部３６がブラシ台１４の各係止凹部１５に嵌合されている。
【００３１】
そして、これらピン挿通孔４３は、シャフト３１のピン挿通孔３２に位置合わせされる。この状態で、これらピン挿通孔３２，４３間には、細長円柱状のピン４４が挿入されて、受体３４とシャフト３１とが連結固定される。なお、この回転ブラシ１３の掻取部材２１は、この掻取部材２１のブレード取付部２４それぞれの長手方向における端部が受体３４の先端側に位置する内周鍔部３７に当接して抜け止め保持される。
【００３２】
一方、床ブラシ９のケース体１１内における吸込口１２よりも後側の側方には、駆動手段としてのモータ５１が収容されている。このモータ５１の先端部には、このモータ５１の駆動により回転する回転軸５２が突出しており、この回転軸５２にはプーリ５３が同心状にが取り付けられている。このプーリ５３は、床ブラシ９の吸込口１２内に取り付けられた回転ブラシ１３の一方の受体３４の後側に位置しており、この受体３４の回転方向に一致した回転方向を有している。
【００３３】
そして、回転ブラシ１３の一方の受体３４とモータ５１の回転軸５２に取り付けられたプーリ５３との間には、無端状のベルト体５４が掛け渡されて巻回されている。すなわち、このベルト体５４は、モータ５１の回転軸５２の回転に伴うプーリ５３の回転により、回転ブラシ１３の一方の受体３４を回転させることにより、回転ブラシ１３を回転駆動させる。
【００３４】
次に、上記一実施の形態の床ブラシの製造方法を説明する。
【００３５】
まず、図３に示すように、各係合凹部１６が直線状に形成されるように押し出し成形されたブラシ台１４の各植毛凹部２５のそれぞれに、複数本がまとめられたブラシ毛２７の基端部を植毛する。
【００３６】
この後、このブラシ台１４の各係合凹部１６のそれぞれに、掻取部材２１のブレード取付部２４を長手方向に沿って係止されて取り付けた後、このブラシ台１４のシャフト挿通孔２８にシャフト３１を挿通させる。
【００３７】
次いで、このシャフト３１の両端部に受体３４の挿通孔３５を挿通させつつ、これら受体３４の各係止爪部３６のそれぞれをブラシ台１４の両端部から、このブラシ台１４の各係止凹部１５のそれぞれに嵌合させる。
【００３８】
この状態で、シャフト３１の両端部に位置する受体３４を、このシャフト３１の周方向に沿って互いに反対方向に向けて、例えば１８０°相対的に回転させて、ブラシ台１４を周方向に向けて等間隔に螺旋状にねじり、これら各受体３４のピン挿通孔４３のそれぞれをシャフト３１のピン挿通孔３２に連通させる。
【００３９】
そして、これら互いに連通した各受体３４のピン挿通孔４３とシャフト３１のピン挿通孔３２との間にピン４４を挿入させて、これら受体３４をシャフト３１に連結させることにより、ブラシ台１４を螺旋状にねじった状態を保持させる。
【００４０】
この後、各受体３４の挿通孔３５から外側へと突出したシャフト３１の係合溝部３３に軸受４１を回転可能に嵌合させて取り付けて回転ブラシ１３とする。
【００４１】
そして、図１および図２に示すように、この回転ブラシ１３の各軸受４１のそれぞれをケース体１１の軸支凹部４２のそれぞれに嵌合させて、このケース体１１の吸込口１２内に回転ブラシ１３を回転自在に軸支させる。
【００４２】
次に、上記一実施の形態の掃除動作について説明する。
【００４３】
まず、掃除をする際には、掃除機本体１にホース体４および延長管８を介して床ブラシ９を接続する。そして、このホース体４の把持部７を持って押動させて、床ブラシ９を床面上で前後に走行させる。
【００４４】
このとき、掃除機本体１内の電動送風機２の駆動により発生する吸込力によって、床ブラシ９の吸込口１２から空気とともに床面上の塵埃が吸い込まれる。
【００４５】
さらに、ホース体４の手許操作部５に設けた所定の設定ボタン６をオンして、床ブラシ９の回転ブラシ１３を回転させた場合には、この回転ブラシ１３のブラシ部材２６の回転により、このブラシ部材２６のブラシ毛２７にて床面がブラッシングされる。すなわち、この床面が板の間などである場合には、この床面にこびりついた塵埃が床面から掃き取られて取り除かれて、床ブラシ９の吸込口１２へと吸い込まれる。
【００４６】
同時に、この回転ブラシ１３の掻取部材２１の回転により、床面上の塵埃が掃き取られる。すなわち、この床面が絨毯などである場合には、掻取部材２１のブレード２３の掻き出し部２２によって、絨毯の中に入り込んだ塵埃が外部へと掻き出されて取り除かれて、床ブラシ９の吸込口１２へと吸い込まれる。
【００４７】
この後、この床ブラシ９の吸込口１２から塵埃とともに吸い込まれた空気は、延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００４８】
上述したように、上記一実施の形態によれば、係止凹部１５および係合凹部１６のそれぞれが外周面に直線状に形成されるようにブラシ台１４を押し出し成形した後、このブラシ台１４を周方向に向けて螺旋状にねじる前に、このブラシ台１４の外周面に軸方向に沿って離間させて複数の植毛凹部２５を形成し、これら複数の植毛凹部２５のそれぞれに複数本を束ねたブラシ毛２７の基端部を植毛して、このブラシ台１４の外周面にブラシ部材２６を直線状に取り付けた。
【００４９】
この結果、ブラシ台１４の外周面に対して螺旋状に旋回するように、このブラシ台１４の外周面に螺旋状に旋回した状態で離間された複数の植毛凹部２５を設け、これら複数の植毛凹部２５のそれぞれに複数本が束ねられたブラシ毛２７の基端部を植毛して、ブラシ台１４の外周面に螺旋状に旋回したブラシ部材２６を取り付ける場合に比べ、このブラシ台１４の外周面に複数本が束ねられたブラシ毛２７の基端部を軸方向に沿わせて離間させて直線状に植毛するだけでよい。
【００５０】
すなわち、このブラシ台１４の外周面にブラシ毛２７を植毛する際に、このブラシ台１４を周方向に向けて回転させる必要がなくなる。このため、このブラシ部材２６のブラシ毛２７によるブラシ台１４への植毛が容易になるから、このブラシ部材２６によるブラシ台１４への取り付け精度の確保を容易にできる。
【００５１】
また、ブラシ部材２６や掻取部材２１などの清掃部材をブラシ台１４とは異なる材質としたので、これらブラシ部材２６のブラシ毛２７を被掃除面である床面の掃き取りに適した材質にできるとともに、掻取部材２１を床面の掻き取りに適した材質にでき、さらには、ブラシ台１４をねじりに適した材質にできる。
【００５２】
このため、これらブラシ部材２６および掻取部材２１のそれぞれを摘した材質とすることにより、このブラシ部材２６による掃き取り性能を向上できるとともに、掻取部材２１の掻き取り性能を向上できるから、これらブラシ部材２６および掻取部材２１を備えた回転ブラシ１３による清掃効率を向上できる。さらに、ブラシ台１４をねじりに適した材質とすることにより、このブラシ台１４のねじり加工が容易になるので、このブラシ台１４を備えた回転ブラシ１３の製造性を向上できる。
【００５３】
さらに、ねじり押し出し成形などによる複雑な成形方法を用いることなく、単なる押し出し成形にてブラシ台１４を成形できるので、このブラシ台１４の製造を簡単にできる。
【００５４】
また、受体３４の係止爪部３６によるブラシ台１４の各係止凹部１５への係合位置を、ブラシ台１４の周方向に向けてずらすことにより、ブラシ台１４のねじり具合、すなわちねじり角度の調整ができる。よって、多種多様な床ブラシ９に対応させて用いることができるから、ブラシ台１４の汎用性を向上できる。
【００５５】
さらに、ブラシ台１４のねじり加減をシャフト３１に挿通させた後に事後的に調整できるから、このブラシ台１４の歩留まりを向上できるとともに、このブラシ台１４のねじり精度を容易に確保できるので、このブラシ台１４を備えた回転ブラシ１３の製造精度の確保を容易にできる。
【００５６】
また、ブラシ台１４の外周面における長手方向の中心軸を中心とした互いに対向する位置にブラシ部材２６をそれぞれ取り付けたので、これらブラシ部材２６がブラシ台１４の中心軸を基準とした軸対称な位置であるとともに、このブラシ台１４の中心軸を通過する径方向に対して線対称な位置に取り付けられる。このため、これらブラシ部材２６が取り付けられたブラシ台１４を回転させた際の回転ぶれを生じ難くできるとともに、これらブラシ部材２６によるブラシ台１４への取り付け、すなわちブラシ台１４の外周面に形成された植毛凹部２５へのブラシ毛２７の植毛をより容易にできる。
【００５７】
なお、上記一実施の形態では、ブラシ台１４の外周面に軸方向に沿って離間させた複数の植毛凹部２５を設け、これら複数の植毛凹部２５のそれぞれに複数本を束ねたブラシ毛２７の基端部を圧入させて、これらブラシ毛２７をブラシ台１４の外周面に植毛させたが、これらブラシ毛２７を静電植毛によりブラシ台１４の外周面に植毛させることもできる。
【００５８】
また、係合凹部１６を直線状に形成したブラシ台１４を、螺旋状にねじった状態で加熱してヒートショックさせて、このブラシ台１４のねじった状態を保持させることもできる。
【００５９】
さらに、ブラシ台１４の中心部をシャフト３１に固定させて、このブラシ台１４の両端部に嵌合された受体３４のそれぞれを同じ方向に向けて回転させて、このブラシ台１４をＶ字状に螺旋状にねじって、このブラシ台１４に複数の螺旋状部分を設けても、このブラシ台１４の両端部に嵌合された受体３４をシャフト３１に固定させることにより、対応させて用いることができる。
【００６０】
また、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【００６１】
そして、床ブラシ９に回転ブラシ１３を複数配設してもよい。また、この回転ブラシ１３をモータ５１にて回転駆動させたが、電動送風機２による吸気風にて回転駆動させる構成とすることもできる。
【００６２】
さらに、ブラシ台１４の外周面に二つの係合凹部１６を設けたが、このブラシ台１４に取り付けられる掻取部材２１の個数に合わせて、少なくとも一つ以上あればよい。また、この掻取部材２１の代わりとして、例えば布ブレードを有した拭き取り用の床磨部材などであっても取り付けることができる。さらに、ブラシ台１４の各係合凹部１６に掻取部材２１をそれぞれ取り付けたが、これら各係合凹部１６に複数種の清掃部材を取り付けることもできる。
【００６３】
同様に、ブラシ台１４の外周面にブラシ部材２６を二つ取り付けたが、これらブラシ部材２６の個数は少なくとも一つ以上であればよく必要に応じて変更できる。
【００６４】
【発明の効果】
本発明によれば、清掃部材を取付部材の外周面から突出させてこの取付部材の軸方向に沿って取り付ければよいので、この清掃部材による取付部材への取り付け精度の確保を容易にでき、また、取付部材をねじりに適した材質にできるとともに、清掃部材を清掃に適した材質にできるから、回転清掃体の製造性および清掃効率を向上できる。
【図面の簡単な説明】
【図１】本発明の電気掃除機の吸込口体の一実施の形態を示す横断面図である。
【図２】同上吸込口体を示す縦断面図である。
【図３】同上吸込口体の回転清掃体の取付部材のねじる前の状態を示す斜視図である。
【図４】同上回転清掃体の軸体を示す一部を省略した側面図である。
【図５】同上回転清掃体の保持部材を示す縦断面図である。
【図６】同上保持部材の側面図である。
【図７】同上吸込口体を備えた電気掃除機を示す斜視図である。
【符号の説明】
９    吸込口体としての床ブラシ
１１    ケース体
１２    吸込口
１３    回転清掃体としての回転ブラシ
１４    取付部材としてのブラシ台
２６    清掃部材としてのブラシ部材
２７    ブラシ毛
２８    挿通孔としてのシャフト挿通孔
３１    軸体としてのシャフト
【図１】
2004173785.tif 000003
【図２】
2004173785.tif 000004
【図３】
2004173785.tif 000005
【図４】
2004173785.tif 000006
【図５】
2004173785.tif 000007
【図６】
2004173785.tif 000008
【図７】
2004173785.tif 000009